(57)【要約】【課題】道具を用いることなく、毎回、同じ位置に貼ることができる心電図パッドを提供する。【解決手段】本発明の心電図センサーシート１０は、少なくとも１つの電極２１および電極２１に積層された粘着層２２を有する心電図パッド２０と、粘着層２２の電極２１と接する面とは反対側の面に貼付され、粘着層２２に沿う面に目盛３３が形成された剥離紙３０と、を備える。【選択図】図１
2019150116.tif 000002
【特許請求の範囲】
【請求項１】
少なくとも１つの電極および前記電極に積層された粘着層を有する心電図パッドと、前記粘着層の前記電極と接する面とは反対側の面に貼付され、前記粘着層に沿う面に目盛が形成された剥離紙と、を備えたことを特徴とする心電図センサーシート。
【請求項２】
前記心電図パッドの前記剥離紙と対向する面とは反対側の面に目盛が形成されたことを特徴とする請求項１に記載の心電図センサーシート。
【発明の詳細な説明】
【技術分野】
【０００１】
本発明は、心電図センサーシートに関する。
【背景技術】
【０００２】
近年、ヘルスケアへの関心が高まり、ウェアラブルデバイスを用いて、日常的に生体情報を取得する人が増えている。例えば、生体情報として心臓の電気的な活動の様子（心臓活動電位）を測定し、心電図波形を連続して取得する場合には、心電測定用の心電図パッド（電極パッド）を人の胸部に貼る必要がある。心電図パッドを貼る位置によっては、心電図波形が大きく変化するため、毎回、安定して心臓活動電位を測定することは難しい。
【０００３】
以前の配置を知らなくとも反復できる心電図の導線の正確かつ反復性のある配置を可能とするために、例えば、患者から心電図装置に電気信号を伝達するため予め定められたパターンで複数の電極を有する可撓性シートによって形成された患者の胸部分に着用する心電図センサーシートであって、鎖骨の谷間に装置の上端を位置決めする第１の手段と、胸骨の谷間に装置を位置決めする第２の手段とを有し、鎖骨の谷間と胸骨の谷間での装置の位置決めにより同じ位置で電極の位置決めが反復して生じるようにした心電図センサーシートが知られている（例えば、特許文献１参照）。
【先行技術文献】
【特許文献】
【０００４】
【特許文献１】特開昭６３−２３８８５１号公報
【発明の概要】
【発明が解決しようとする課題】
【０００５】
しかしながら、特許文献１に記載されている心電図センサーシートは、毎回、同じ位置に正確に貼ることができるものの、非常に大型である。そのため、この心電図センサーシートを、ウェアラブルデバイスのように着用して、普段通りに生活することは現実的ではない。また、この心電図センサーシートの電極を所定の位置に貼るためには、定規を用いる必要がある。心電図センサーシートを着用する度に、定規を用いると、手間がかかる。また、定規を用いても、心電図センサーシートを、その角度まで正確に貼ることは難しい。
【０００６】
本発明は、上記事情に鑑みてなされたものであって、道具を用いることなく、毎回、同じ位置に電極を貼着することができる心電図センサーシートを提供することを目的とする。
【課題を解決するための手段】
【０００７】
本発明の心電図センサーシートは、少なくとも１つの電極および前記電極に積層された粘着層を有する心電図パッドと、前記粘着層の前記電極と接する面とは反対側の面に貼付され、前記粘着層に沿う面に目盛が形成された剥離紙と、を備えたことを特徴とする。
【０００８】
本発明の心電図センサーシートにおいて、前記心電図パッドの前記剥離紙と対向する面とは反対側の面に目盛が形成されたことが好ましい。
【発明の効果】
【０００９】
本発明によれば、道具を用いることなく、毎回、同じ位置に電極を貼着することができる心電図センサーシートを提供することができる。
【図面の簡単な説明】
【００１０】
【図１】本発明の実施形態による心電図センサーシートの要部構成を示す図であって、（ａ）は平面図であり、（ｂ）は（ａ）中のＡ−Ａ線に沿う断面矢視図である。
【図２】本発明の実施形態による心電図センサーシートを構成する剥離紙を示す平面図である。
【図３】本発明の実施形態による心電図センサーシートの使用方法を説明する図である。
【図４】本発明の実施形態による心電図センサーシートを構成する心電図パッドを示す平面図である。
【発明を実施するための形態】
【００１１】
本発明の心電図センサーシートの実施の形態について説明する。
なお、本実施の形態は、発明の趣旨をより良く理解させるために具体的に説明するものであり、特に指定のない限り、本発明を限定するものではない。
【００１２】
図１は、本発明の実施形態による心電図センサーシートの要部構成を示す図であって、（ａ）は平面図であり、（ｂ）は（ａ）中のＡ−Ａ線に沿う断面矢視図である。図２は、本発明の実施形態による心電図センサーシートを構成する剥離紙を示す平面図である。
図１および図２に示す通り、本実施形態の心電図センサーシート１０は、心電図パッド２０と、心電図パッド２０の貼着面２０ａ側に貼付された剥離紙３０とから概略構成されている。
本実施形態の心電図センサーシート１０は、平面視の形状が長方形状をなしている。
【００１３】
心電図パッド２０は、電極２１と、電極２１の一方の面２１ａに積層された粘着層２２とを有する。本実施形態では、心電図パッド２０、電極２１および粘着層２２は、平面視の形状が縦長の長方形状をなしている。
心電図パッド２０の剥離紙３０と対向する面（貼着面）２０ａとは反対側の面２０ｂ、すなわち、電極２１の粘着層２２と接する面とは反対側の面（他方の面）２１ｂには、目盛２３が形成されていることが好ましい。
【００１４】
心電図パッド２０の大きさ（平面視した場合の面積）は、心臓活動電位を測定可能であれば、特に限定されない。
【００１５】
剥離紙３０は、透明基材３１と、透明基材３１の一方の面３１ａに積層された剥離層３２とを有する。本実施形態では、剥離紙３０、透明基材３１および剥離層３２は、平面視の形状が長方形状をなしている。
透明基材３１の一方の面（粘着層２２に接する面、粘着層２２に沿う一方の面）３１ａ、または、透明基材３１の粘着層２２に接する面３１ａとは反対側の面（他方の面、粘着層２２に沿う他方の面）３１ｂには、図２に示すように、目盛３３が形成されている。
【００１６】
電極２１を構成する材料としては、例えば、公知のポリマー型導電インク、銀インク組成物等の導電性のインク、金属箔、電気メッキや静電メッキにより形成された金属薄膜、金属蒸着等の各種薄膜形成法により形成された金属薄膜、金属板等が挙げられる。
電極２１の厚さは、特に限定されず、心電図センサーシート１０に求められる可撓性に応じて適宜調整される。
【００１７】
粘着層２２は、導電性のゲルから構成される。
粘着層２２の厚さは、特に限定されず、心電図センサーシート１０に求められる可撓性に応じて適宜調整される。
【００１８】
目盛２３は、心電図パッド２０を人体の所定の位置に貼着する際に、位置決めのために用いられる。本実施形態では、目盛２３は、電極２１の一方の面２１ａにおいて、電極２１の中心を通り電極２１の長手方向に沿う第１の線分２３Ａ、電極２１の中心を通り電極２１の短手方向に沿う（第１の線分２３Ａと直交する）第２の線分２３Ｂ、および、電極２１の中心を通り平面視長方形状の電極２１の対角線２３Ｃ，２３Ｄから構成される。
【００１９】
透明基材３１を構成する材料は、可撓性を有し、透明なものであれば特に限定されない。
透明基材３１の厚さは、特に限定されない。
【００２０】
剥離層３２は、一般的な剥離紙に用いられる剥離剤から構成される。
剥離層３２の厚さは、特に限定されない。
【００２１】
目盛３３は、心電図パッド２０を人体の所定の位置に貼着する際に、位置決めのために用いられる。本実施形態では、目盛３３は、透明基材３１の一方の面３１ａまたは他方の面３１ｂにおいて、透明基材３１の中心を通り透明基材３１の長手方向に沿う第１の線分３３Ａ、透明基材３１の中心を通り透明基材３１の短手方向に沿う（第１の線分３３Ａと直交する）第２の線分３３Ｂ、および、透明基材３１の中心を通り平面視長方形状の透明基材３１の対角線３３Ｃ，３３Ｄから構成される。
【００２２】
また、目盛２３と目盛３３は、心電図パッド２０と剥離紙３０を重ねた場合に、重なり合うように形成されていることが好ましい。
【００２３】
なお、本実施形態では、心電図パッド２０において、粘着層２２に、１つの電極２１が積層された場合を例示したが、本発明はこれに限定されない。本発明にあっては、粘着層に、２つ以上の電極が積層されていてもよい。
【００２４】
また、本実施形態では、心電図パッド２０の平面視の形状が縦長の長方形状である場合を例示したが、本発明はこれに限定されない。本発明にあっては、心電図パッドの平面視の形状が横長の長方形状、正方形状、円形状、楕円形状等であってもよい。例えば、本発明の心電図センサーシートを構成する心電図パッドとしては、平面視の形状が図４に示す横長の長方形状であり、四角が曲率を有する形状のものが挙げられる。図４に示す心電図パッド４０は、電極（図示略）および電極の一方の面に積層された粘着層（図示略）を有する心電図パッド本体４１と、心電図パッド本体４１の貼着面とは反対側の面（表面）４１ａに設けられ、電極と電気的に接続された接続端子４２，４３とを備える。また、心電図パッド本体４１の表面４１ａには、心電図パッド２０と同様に目盛４４が形成されていることが好ましい。
【００２５】
また、本実施形態では、目盛２３が、上述の第１の線分２３Ａ、第２の線分２３Ｂ、および、対角線２３Ｃ，２３Ｄから構成され、かつ、目盛３３が、上述の第１の線分３３Ａ、第２の線分３３Ｂ、および、対角線３３Ｃ，３３Ｄから構成される場合を例示したが、本発明はこれに限定されない。本発明にあっては、心電図パッド２０の貼着する位置を決めるための基準となるものであれば、目盛の構成は特に限定されない。
【００２６】
次に、図１〜図３を参照して、本実施形態の心電図センサーシート１０の使用方法を説明するとともに、本実施形態の心電図センサーシート１０の作用を説明する。
図３は、本発明の実施形態による心電図センサーシートの使用方法を説明する図である。
【００２７】
使用者は、心電図センサーシート１０から剥離紙３０は剥離して、心電図パッド２０を身体１００の所定位置（胸部における心臓が存在する位置近傍）に貼着する。
初めて心電図パッド２０を身体１００に貼着する場合には、心電図パッド２０と無線または有線で接続された心電図モニタの波形を見ながら、心電図パッド２０の貼着位置を決定する。具体的には、安定した波形が得られる場所を、心電図パッド２０の貼着位置とする。
心電図パッド２０と心電図モニタを無線で接続する場合、例えば、専用のアプリケーションがインストールされたスマートフォンを心電図モニタとして用い、心電図パッド２０から無線通信でスマートフォンに測定データを送信し、スマートフォンで心電図波形を確認する。また、心電図パッド２０と心電図モニタを有線で接続する場合、例えば、心電図パッド２０の表面に接続端子を設け、その接続端子を介して、心電図パッド２０とウェアラブルデバイスを接続し、ウェアラブルデバイスで心電図波形を確認する。
【００２８】
心電図パッド２０の貼着位置が決定したら、心電図センサーシート１０から剥離した剥離紙３０を用いて、その貼着位置を記録する。具体的には、剥離紙３０に形成された目盛３３を、鎖骨や乳首等の身体１００の特徴的な部分に当接して、心電図パッド２０の貼着位置を剥離紙３０に記録する。すなわち、剥離紙３０の目盛３３には、身体１００の特徴的な部分に対応する第１の目印と、剥離紙３０上に配置する心電図パッド２０に対応する第２の目印を設ける。
【００２９】
２回目以降に心電図パッド２０を身体１００に貼着する場合には、まず、心電図パッド２０の貼着位置を記録した剥離紙３０を身体１００の所定位置に当接する。この際、剥離紙３０の目盛３３に設けた第１の目印を、身体１００の特徴的な部分に合せて、剥離紙３０を身体１００の所定位置に当接する。
【００３０】
続いて、剥離紙３０の目盛３３に設けた第２の目印に合せて、心電図パッド２０を剥離紙３０上の所定位置に配置する。この際、剥離紙３０に心電図パッド２０の一部を貼着して、貼着位置がずれないようにすることが好ましい。なお、剥離紙３０は透明であるため、剥離紙３０を介して心電図パッド２０の貼着位置を確認することができる。心電図パッド２０を所定位置に配置した後、心電図パッド２０の貼着位置がずれないようにして、身体１００から剥離紙３０のみを外すとともに、心電図パッド２０を身体１００に貼着する。
【００３１】
以上説明したように、本実施形態の心電図センサーシート１０によれば、道具を用いることなく、毎回、同じ位置に、正確かつ容易に心電図パッド２０を貼着することができる。また、本実施形態の心電図センサーシート１０は、心電図パッド２０を個別に所定位置に貼着することができるため、小型化することができる。また、本実施形態の心電図センサーシート１０は、小型化することができるため、ウェアラブルデバイスのように着用しても、普段通りに生活することができる。
【符号の説明】
【００３２】
１０・・・心電図センサーシート、２０，４０・・・心電図パッド、２１・・・電極、２２・・・粘着層、２３，３３，４４・・・目盛、２３Ａ，３３Ａ・・・第１の線分、２３Ｂ，３３Ｂ・・・第２の線分、２３Ｃ，２３Ｄ，３３Ｃ，３３Ｄ・・・対角線、３０・・・剥離紙、３１・・・透明基材、３２・・・剥離層、４１・・・心電図パッド本体、４２，４３・・・端子、１００・・・身体。
【図１】
2019150116.tif 000003
【図２】
2019150116.tif 000004
【図３】
2019150116.tif 000005
【図４】
2019150116.tif 000006